(57)【要約】【課題】  透明パネルの内面に付着した埃やゴミ等を、容易に除去できる投影機器を提供する。【解決手段】本発明の投影機器は、投影光を生成して射出する投影部と、前記投影光を反射するミラーと、前記投影部と前記ミラーを内部に収容し、一方の側面側に形成された吸気口と他方の側面側に形成された排気口とを備える筐体と、前記筐体の上面側に設けられ、前記投影光を筐体外部に透過させる透明部と、前記筐体内部に設けられるファンと、前記筐体内部であって前記投影部より吸気口側かつ投影部の上方側に設けられた第１の風向板と、前記筐体内部であって前記投影部より排気口側かつ投影部の上方側に設けられた第２の風向板と、を含む。【選択図】  図４
2015118289.tif 000002
【特許請求の範囲】
【請求項１】
投影光を生成して射出する投影部と、
前記投影光を反射するミラーと、
前記投影部と前記ミラーを内部に収容し、一方の側面側に形成された吸気口と他方の側面側に形成された排気口とを備える筐体と、
前記筐体の上面側に設けられ、前記投影光を筐体外部に透過させる透明部と、
前記筐体内部に設けられるファンと、
前記筐体内部であって前記投影部より吸気口側かつ投影部の上方側に設けられた第１の風向板と、
前記筐体内部であって前記投影部より排気口側かつ投影部の上方側に設けられた第２の風向板と、
を含むことを特徴とする投影機器。
【請求項２】
請求項１に記載の投影機器において、
前記透明部を透過した前記投影光を投影するスクリーンを備え、
前記第１の風向板及び前記第２の風向板が突起部を有し、
前記突起部を操作することで、前記第１の風向板が前記第１の風向板の上面を前記吸気口に向ける側に傾斜し、前記第２の風向板が前記第２の風向板の上面を前記排気口に向ける側に傾斜することを特徴とする投影機器。
【請求項３】
請求項２に記載の投影機器において、
前記突起部を操作することで、前記投影部を一時的に停止させる動作及び前記ファンの回転数を増加させる動作の少なくともいずれか一方の動作が実行されることを特徴とする投影機器。
【請求項４】
請求項１ないし請求項３のうちのいずれか１項に記載の投影機器において、
前記第１の風向板が前記吸気口側に風向板を伸ばすための延長板を有し、
前記第２の風向板が前記排気口側に風向板を伸ばすための延長板を有することを特徴とする投影機器。
【請求項５】
請求項１ないし請求項４のうちのいずれか１項に記載の投影機器において、
前記第１の風向板及び前記第２の風向板が透明な材質で形成されていることを特徴とする投影機器。
【請求項６】
請求項１ないし請求項５のうちのいずれか１項に記載の投影機器において、
前記ファンが前記排気口の近傍に設けられる排気ファンであることを特徴とする投影機器。
【発明の詳細な説明】
【技術分野】
【０００１】
本発明は、筐体内部に投影機を搭載して、筐体外のスクリーンに画像を投影する投影機器に関する。
【背景技術】
【０００２】
従来、筐体内部に投影機を収容し、透明パネルを介して筐体外のスクリーンに画像を投影する投影機器が知られている（例えば、特許文献１参照）。
【０００３】
特許文献１に記載の投写型映像表示装置は、投写レンズ群と非球面ミラーとから構成される投写部と、光変調素子としてのＤＭＤ(Digital Micromirror Device)と、ＤＭＤへ光を照射する照明部と、ＤＭＤや照明部を構成するＬＥＤなどへ電力を供給するバッテリ部と、を有する。
投写部は、複数のレンズから構成される投写レンズ群と、凹面の非球面ミラーと、映像光が出射する投写窓（透明パネル）と、を有する。映像光は、投写レンズ群と非球面ミラーとの間で結像し、投写窓を通って投写型映像表示装置の設置面にて、再度、結像する。
【０００４】
また、投写型映像表示装置は、映像光生成部を冷却する冷却部を有する。冷却部は、筐体に設けられた排気口の近傍に設けられた軸流ファン、ＬＥＤを冷却するシロッコファンおよびＤＭＤを冷却するヒートシンクを有する。
投写型映像表示装置を冷却する空気は、筐体の一側面に設けられた吸気口から吸入され、投写型映像表示装置の内部を流通して映像生成部等を冷却した後、筐体の他の側面に設けられた排気口から排気される。
【先行技術文献】
【特許文献】
【０００５】
【特許文献１】特開２０１１−１５８５２２号公報（第２図、段落００２９）
【発明の概要】
【発明が解決しようとする課題】
【０００６】
しかしながら、前述したような投影機器（投写型映像表示装置）のように、筐体内部の電子部品等を冷却するために、ファンにより外部空気を筐体内に取り込む場合には、外部の埃やゴミを一緒に取り込んでしまい、この埃等が、透明パネルの内面に付着する場合がある。そして、透明パネルを透過する際に、投影画像に埃等が映り込む場合があった。
このような場合には、透明パネルを取り外して、透明パネルを掃除して埃等を取り除くことが行われるが、非常に面倒であった。
【０００７】
本発明は、従来の問題を解決するためになされたもので、透明パネルの内面に付着した埃やゴミ等を、容易に除去できる投影機器を提供することを目的とする。
【課題を解決するための手段】
【０００８】
上記課題を解決するために、本発明は以下の構成によって把握される。
（１）本発明の投影機器は、投影光を生成して射出する投影部と、前記投影光を反射するミラーと、前記投影部と前記ミラーを内部に収容し、一方の側面側に形成された吸気口と他方の側面側に形成された排気口とを備える筐体と、前記筐体の上面側に設けられ、前記投影光を筐体外部に透過させる透明部と、前記筐体内部に設けられるファンと、前記筐体内部であって前記投影部より吸気口側かつ投影部の上方側に設けられた第１の風向板と、前記筐体内部であって前記投影部より排気口側かつ投影部の上方側に設けられた第２の風向板と、を含む。
【発明の効果】
【０００９】
本発明は、筐体内部であって投影部より吸気口側でかつ投影部の上方側の位置に第１の風向板を設け、筐体内部であって投影部より排気口側でかつ投影部の上方側の位置に第２の風向板を設けた。このため、ファンが吸気口から吸入した空気を排気口から排出することにより発生する空気の流れを、投影部の上方に設けられている透明部の内側にも流通させることができる。これにより、透明部の内面に付着した埃やゴミ等を吹き飛ばして、容易に除去することができるという効果を有する投影機器を提供できる。
【図面の簡単な説明】
【００１０】
【図１】本発明に係る実施形態の投影機器の全体斜視図
【図２】図１中ＩＩ−ＩＩ位置で切断した投影機器の断面図
【図３】図１中ＩＩＩ−ＩＩＩ位置で切断した風向板を上げた通常時における投影機器の断面図
【図４】図１中ＩＶ−ＩＶ位置で切断した風向板を下ろしたときの投影機器の断面図
【図５】筐体を下方から見た斜視図
【図６】（Ａ）は風向板の平面図であり、（Ｂ）は（Ａ）中Ｂ方向から見た側面図であり、（Ｃ）は軸受部及び支持部の関係を示す拡大図
【図７】延長部を設けた第１の風向板及び第２の風向板の分解斜視図
【発明を実施するための形態】
【００１１】
以下、本発明に係る実施形態の投影機器について、図面を用いて説明する。
図１に示すように、本発明に係る実施形態の投影機器１０は、全体略矩形箱状の筐体２０を有する。
なお、以下の説明においては、筐体２０を机等に載置した際の上方（上側）を「上方（上側）」とし、後述するスクリーン２６側を前方（前側）とし、スクリーン２６と反対側を後方（後側）として説明する。
【００１２】
筐体２０は、前後左右を囲う側板２１を有し、上方に開口部を有する。
なお、図１では、透明部２３１がある場所は示しているが、透明部２３１自体は図示しておらず、透明部２３１を含んだ図については、図２を参照されたい。
図２に示すように、開口部には、中央が光を透過する透明部２３１とされ、透明部２３１以外の部分が、例えば黒色印刷等により、筐体２０の内部が見えないようにされたパネル２３が取り付けられている。
なお、パネル２３は、透明な樹脂製の平板からなり、その板の筐体２０内側の面の透明部２３１以外の部分を黒色印刷等により遮光するようにしているが、この黒色印刷等は、必ずしも必要なく、全部が透明部２３１であるパネル２３でもよい。
また、筐体２０の右側板２１１（一方の側面）にはスリット状の吸気口２４が設けられており，左側板２１２（他方の側面）にはスリット状の排気口２５が設けられている（図３参照）。
【００１３】
図２に示すように、筐体２０の内部における略中央には、投影光を生成して筐体２０の後方に向けて射出する投影部２７が設けられている。筐体２０の後方には、凹面の反射面を有する第１のミラー２８が、投影部２７からの投影光を、平面の反射面を有する第２のミラー３０へ向けて反射し、続いて第２のミラー３０で反射された投影光がスクリーン２６へ向けて反射するように設けられている。
従って、投影部２７から発せられた投影光（画像）ＬＢ１は、第１のミラー２８で下方に向けて反射された後、第２のミラー３０で上方に向けて反射され、パネル２３の透明部２３１を通って筐体２０の外部に設けられているスクリーン２６に投射される（投影光ＬＢ２）。
投写された画像を映すためのスクリーン２６は、スクリーン取付部２９により回動可能に支持されており、使用時にはスクリーン２６を立てた状態にでき、使用しない時は、筐体２０側にスクリーン２６を倒した状態に収納することができるようになっている。
【００１４】
図３及び図４は、丁度、筐体２０の吸気口２４と排気口２５がある部分を結ぶように、筐体２０を切断した時の断面図を示しており（図１のＩＩＩ−ＩＩＩ線及びＩＶ−ＩＶ線参照）、図３は、この２つに切断された筐体２０のスクリーン２６がある側を見た図になっており、一方、図４は、反対側の筐体２０を見た図になっている。
図３及び図４に示すように、筐体２０の左側板２１２に設けられている排気口２５の内側には、投影部２７との間に、排気ファン（ファン）３１が設けられている。ここでは、排気ファン３１に軸流ファンを用いているが、これに限るものではない。
図５は、筐体２０を下側から透明部２３１を見たときの図であり、透明部２３１が見えるように、透明部２３１と略同じ位置で下方にある投影部２７を省略した図になっている。
図５にも示すように、吸気口２４の内側には、投影部２７（図示せず）より吸気口２４側でかつ投影部２７（図示せず）の上方側の位置に第１の風向板３２が設けられている。
また、排気口２５の内側には、投影部２７（図示せず）より排気口２５側でかつ投影部２７（図示せず）の上方側の位置に第２の風向板３３が設けられている。
なお、第２の風向板３３も、第１の風向板３２と同様の構成を有しているので、以下の説明においては、符号をカッコ書きで示し、重複した説明は省略することとする（図６（Ａ）、（Ｂ）及び（Ｃ）中カッコ書き参照）。
【００１５】
以下では、図６を参照しながら、この風向板（第１の風向板３２、第２の風向板３３）の構成について説明する。
図６（Ａ）及び（Ｂ）に示すように、筐体２０における第１の風向板３２（第２の風向板３３）の取付位置には、断面Ｃ字形状の軸受部３４が所定間隔で一対設けられている。
一方、第１の風向板３２（第２の風向板３３）は、全体矩形薄板状の風向板本体３２１（３３１）と、風向板本体３２１（３３１）の長手方向両端における幅方向一端から長手方向に沿って延びる丸棒状の支持部３２２（３３２）を有する。
また、風向板本体３２１（３３１）の上面には、上方に延びる突起部３２３（３３３）が設けられている。
【００１６】
図６（Ｃ）に示すように、軸受部３４の隙間３４１の間隔Ｄ１は、支持部３２２（３３２）の外形Ｄ２よりも小さい（Ｄ１＜Ｄ２）。また、軸受部３４の内径Ｄ３は、支持部３２２（３３２）の外形Ｄ２よりも僅かに小さいのが望ましい。
図６（Ａ）及び（Ｂ）に示すように、支持部３２２（３３２）には、捩りバネ３５が取り付けられており、捩りバネ３５の一端３５１が風向板本体３２１（３３１）の下面に当接し、捩りバネ３５の他端３５２は軸受部３４側の下面に当接する。
【００１７】
これにより、第１の風向板３２及び第２の風向板３３は、図６（Ｂ）中矢印Ａ方向に付勢される。
なお、捩りバネ３５は、風向板本体３２１（３３１）の両側の支持部３２２（３３２）に各々設けることができるが、一方のみに設けることも可能である。
また、図６（Ｃ）において、軸受部３４の隙間３４１から第１の風向板３２（第２の風向板３３）の支持部３２２（３３２）を押し込むことにより、風向板本体３２１（３３１）を軸受部３４に、回転可能に取り付けることができる。
【００１８】
風向板本体３２１（３３１）は、捩りバネ３５の付勢力によって図６（Ｂ）中矢印Ａ方向に付勢されているが、捩りバネ３５の付勢力（弾性変形）が生じない無力状態で、風向板本体３２１（３３１）が水平位置になるようにされている。
あるいは、風向板本体３２１（３３１）が水平位置よりも矢印Ａ方向へ移動しないようにストッパーを設けてもよい。
これにより、通常使用時には、風向板本体３２１（３３１）は水平位置に位置する（図３参照）。
なお、軸受部３４の内径Ｄ３を支持部３２２（３３２）の外径Ｄ２よりも小さく設定することにより、第１の風向板３２（第２の風向板３３）を摩擦力により所望の角度で固定することができる。
【００１９】
第１の風向板３２（第２の風向板３３）の突起部３２３（３３３）は、パネル２３から上方に突出しており、突起部３２３（３３３）を操作することにより、風向板本体３２１（３３１）の先端が下がるように、第１の風向板３２（第２の風向板３３）を傾斜させることができる（図４参照）。
すなわち、突起部３２３（３３３）を操作することで、第１の風向板３２では、吸気口２４側端部を下げて傾斜させ、第２の風向板３３では、排気口２５側端部を下げて傾斜させることができる。
第１の風向板３２（第２の風向板３３）は、投影部２７から投影される光を遮らないような位置に設ける。
但し、この突起部３２３，３３３を含む第１の風向板３２，第２の風向板３３を、光を遮らない透明な材料で形成してもよい。
この場合には、第１の風向板３２，第２の風向板３３が光を遮ることを気にしなくてよいので配置やサイズの自由度が高くなる。
【００２０】
また、風向板の変形例として、図７に示すように、第１の風向板３２（第２の風向板３３）に、吸気口２４側（排気口２５側）に風向板本体３２１（３３１）を伸ばすための延長板３２４（３３４）を設けたものとしても良い。
つまり、風向板本体３２１（３３１）の長手方向両端の下面にガイド部３２５（３３５）を設けて、延長板３２４（３３４）をスライド可能に支持する。突起部３２３（３３３）は、延長板３２４（３３４）に設ける。そして、風向板本体３２１（３３１）には、突起部３２３（３３３）が通過可能な切欠き３２６（３３６）を設ける。
【００２１】
このようにすると、突起部３２３（３３３）を移動させることにより、延長板３２４（３３４）を出し入れして、第１の風向板３２（第２の風向板３３）の面積を増加することができる。
なお、延長板３２４（３３４）をスライドさせて延長した際には、通過可能な切欠き３２６（３３６）によって、風向板本体３２１（３３１）から脱落することが防止されるが、逆方向に動かしたときに脱落する恐れがある場合には、切欠き３２６（３３６）の開口端側から突起部３２３（３３３）が外れないように、切欠き３２６（３３６）の開口端側の内側に少し突出するような脱落防止の突起を設けても良い。または、切欠き３２６（３３６）の開口端側が風向板本体３２１（３３１）によって塞がれた所謂開口部を形成するようにしても良い。
【００２２】
次に、筐体２０の内部を流れる冷却風の流れについて説明する。
図３に示すように、投影機器１０の通常使用時（投影時）には、第１の風向板３２及び第２の風向板３３は、それぞれ筐体２０の右側板２１１側の端部、筐体２０の左側板２１２側の端部が上げられて略水平位置に保持されている。
排気ファン３１の稼動によって、筐体２０内の空気が排気口２５から排気されるので（図３中矢印ＷＡ１）、筐体２０内部が減圧され、吸気口２４から外部の空気が吸気される（図３中矢印ＷＡ３）。
その吸気された空気は、筐体２０内部を排気口２５側に流れて（図３中矢印ＷＡ２）投影部２７等を冷却する。
このとき、第１の風向板３２は吸気口２４よりも上方にあるので、吸引された空気は、第１の風向板３２の下方を流れ、ＷＡ２で示される空気は、投影部２７の近くを通る。
【００２３】
一方、図４に示すように、透明部２３１の内面に付着している埃等を除去する場合には、第１の風向板３２の、パネル２３の開口から一部が突出した突起部３２３を矢印Ａ１方向に操作して、風向板本体３２１の吸気口２４側端部を下降させる（なお、延長板３２４が設けられている場合には、延長板３２４を延長させる）。この場合、突起部３２３を矢印Ａ１方向に押し続けた場合のみ、風向板本体３２１の吸気口２４側端部が下降し、突起部３２３を矢印Ａ１方向に押すのを止めると、捩りバネ３５の付勢力によって風向板本体３２１は元の水平位置に戻る。
同時に、第２の風向板３３の、パネル２３の開口から一部が突出した突起部３３３を矢印Ａ２方向に操作して、風向板本体３３１の排気口２５側端部を下降させる（なお、延長板３３４が設けられている場合には、延長板３３４を延長させる）。この場合も、突起部３３３を矢印Ａ２方向に押し続けた場合のみ、風向板本体３３１の排気口２５側端部が下降し、突起部３３３を矢印Ａ２方向に押すのを止めると、捩りバネ３５の付勢力によって風向板本体３３１は元の水平位置に戻る。
【００２４】
この状態では、排気ファン３１の稼動によって、筐体２０内の空気が排気口２５から排気され（図４中矢印ＷＢ３）、筐体２０内部が減圧されて吸気口２４から吸気された外部の空気（図４中矢印ＷＢ１）は、吸気口２４側端部が下降して傾斜している第１の風向板３２に沿って上昇し、透明部２３１の内面に近いところを透明部２３１に沿って流れる（図４中矢印ＷＢ２）。
この時に、透明部２３１の内面に付着している埃等が吹き飛ばされて除去される。
そして、第２の風向板３３に沿って下降し、その埃等を含む空気が、排気口２５から外部に排気される（図４中矢印ＷＢ３）。
また、突起部３２３，３３３から手を放すと、第１の風向板３２及び第２の風向板３３は、捩りバネ３５の復帰力により、水平位置に復帰する。
なお、延長板３２４（３３４）が設けられている場合は、突起部３２３，３３３を操作して延長前の風向板本体３２１（３３１）に収納されている状態に戻す。
【００２５】
次に、本発明の投影機器１０の作用効果について説明する。
図１及び図２に示すように、筐体２０の内部には、投影光ＬＢ１を生成して射出する投影部２７や、投影光ＬＢ１を反射する（投影光ＬＢ２）ミラー２８等が収容されている。
筐体２０は、図３及び図４で示したように、右側板２１１側に形成された吸気口２４と左側板２１２側に形成された排気口２５とを有するとともに内部に排気ファン３１を有する。また、筐体２０は、投影光ＬＢ２を筐体２０外部に透過させる透明部２３１と、透明部２３１を透過した投影光を投影するスクリーン２６を有する（図１及び図２参照）。
【００２６】
そして、図３及び図４で示したように、筐体２０の内部であって投影部２７より吸気口２４側でかつ投影部２７の上方側の位置に第１の風向板３２を設け、筐体２０内部であって投影部２７より排気口２５側でかつ投影部２７の上方側の位置に第２の風向板３３を設けた。
このため、図４に示したように、その第１の風向板３２及び第２の風向板３３を操作することで排気ファン３１が吸気口２４から吸入した空気を排気口２５から排出することにより発生する空気の流れを、投影部２７の上方に設けられている透明部２３１の内側近傍に流通させることができる（図４のＷＢ２参照）。
これにより、この透明部２３１の近くを流れる空気によって、透明部２３１の内面に付着した埃やゴミ等を吹き飛ばして、容易に埃やゴミ等を除去することができる。
【００２７】
また、本発明の投影機器１０では、第１の風向板３２及び第２の風向板３３を透明な材質で形成すれば、投影部２７から投影された光を第１の風向板３２や第２の風向板３３が遮ることが無くなるので第１の風向板３２や第２の風向板３３の配置場所や大きさの自由度が高くなる。
このため、第１の風向板３２及び第２の風向板３３が光を遮ることを気にせずに面積を大きく設計できるため、空気の流れをより誘導しやすくすることが可能になる。
【００２８】
また、本発明の投影機器１０では、第１の風向板３２に、吸気口２４側に第１の風向板３２を伸ばすための延長板３２４を設ければ、吸気口２４から吸入された空気を、確実に透明部２３１側に導いて吹き付けることができる。
また、第２の風向板３３に、排気口２５側に第２の風向板３３を伸ばすための延長板３３４を設ければ、その透明部２３１側に導かれた空気を、確実に排気口２５に導くので空気の流れがより良好になる。
【００２９】
また、本発明の投影機器１０では、第１の風向板３２に突起部３２３を設けるというシンプルな構成で、突起部３２３を操作することで、第１の風向板３２の上面を吸気口２４に向ける側に傾斜させ、吸気口２４から吸入した空気を、多く透明部２３１に導くことができる。
同様に、第２の風向板３３も突起部３３３を設けるというシンプルな構成で、突起部３３３を操作することで、第２の風向板３３の上面を排気口２５に向ける側に傾斜させることができ、確実に排気口２５に導いて排気することができる。
従って、複雑な機械構成を必要としないので低コストで、この風向板の操作を実現することができる。
【００３０】
一方、投影部２７に吸気ファンが設けられている場合もあり、その吸気ファンの吸気力で筐体２０内に空気を取込み、排気口から空気を排出できる場合もある。
この場合には、必ずしも、排気口２５の近傍に、排気ファン３１を設ける必要が無い場合もある。この場合の吸気ファンも本発明のファンに含まれる。
しかしながら、上記吸気ファンだけでなく、上記具体例で示したように、投影機器１０の排気口２５の近傍に、排気ファン３１を設ける構成とすれば、筐体２０内部の空気を確実に排気できる結果、それに応じて、吸気口２４から吸入される空気を増加することができるので好適である。
【００３１】
以上、具体的な一例を説明してきたが、本発明の投影機器１０は、上記実施形態に限定されるものでは無い。
例えば、本発明の投影機器１０では、突起部３２３，３３３を操作する際に、近接センサーなどを用いて、風向板が操作されたことを検出し、それに合わせて、投影部２７を一時的に停止させる動作及び排気ファン３１の回転数を増加させる動作の少なくともいずれか一方の動作を実行するようにしても良い。
このようにすると、空気の流れを透明部２３１の内面側に導くことに伴って、投影部２７の冷却風量が減少しても、投影部２７が一時的に停止されているので投影部２７の熱で温度が昇温するのを防止でき、また、排気ファン３１の回転数を増加させることにより、透明部２３１の内側に送られる空気の量を増加させることができるので、より確実に埃等を吹き飛ばすことができるようになる。
【００３２】
また、例えば、前述した実施形態においては、第１の風向板３２及び第２の風向板３３の傾きを変えるために突起部３２３，３３３を設けた場合を例示したが、電気的スイッチを設けておき、第１の風向板３２及び第２の風向板３３の操作をモータ駆動で実現するようにしてもよい。
この場合には、また、その電気スイッチの動作に合わせて、投影部２７を一時的に停止させる動作及び排気ファン３１の回転数を増加させる動作の少なくともいずれか一方の動作を実行するようにしても良い。
【００３３】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００３４】
〔付記〕
＜請求項１＞
投影光を生成して射出する投影部と、
前記投影光を反射するミラーと、
前記投影部と前記ミラーを内部に収容し、一方の側面側に形成された吸気口と他方の側面側に形成された排気口とを備える筐体と、
前記筐体の上面側に設けられ、前記投影光を筐体外部に透過させる透明部と、
前記筐体内部に設けられるファンと、
前記筐体内部であって前記投影部より吸気口側かつ投影部の上方側に設けられた第１の風向板と、
前記筐体内部であって前記投影部より排気口側かつ投影部の上方側に設けられた第２の風向板と、
を含むことを特徴とする投影機器。
＜請求項２＞
請求項１に記載の投影機器において、
前記透明部を透過した前記投影光を投影するスクリーンを備え、
前記第１の風向板及び前記第２の風向板が突起部を有し、
前記突起部を操作することで、前記第１の風向板が前記第１の風向板の上面を前記吸気口に向ける側に傾斜し、前記第２の風向板が前記第２の風向板の上面を前記排気口に向ける側に傾斜することを特徴とする投影機器。
＜請求項３＞
請求項２に記載の投影機器において、
前記突起部を操作することで、前記投影部を一時的に停止させる動作及び前記ファンの回転数を増加させる動作の少なくともいずれか一方の動作が実行されることを特徴とする投影機器。
＜請求項４＞
請求項１ないし請求項３のうちのいずれか１項に記載の投影機器において、
前記第１の風向板が前記吸気口側に風向板を伸ばすための延長板を有し、
前記第２の風向板が前記排気口側に風向板を伸ばすための延長板を有することを特徴とする投影機器。
＜請求項５＞
請求項１ないし請求項４のうちのいずれか１項に記載の投影機器において、
前記第１の風向板及び前記第２の風向板が透明な材質で形成されていることを特徴とする投影機器。
＜請求項６＞
請求項１ないし請求項５のうちのいずれか１項に記載の投影機器において、
前記ファンが前記排気口の近傍に設けられる排気ファンであることを特徴とする投影機器。
【符号の説明】
【００３５】
１０  投影機器
２０  筐体
２１１  右側板（一方の側面）
２１２  左側板（他方の側面）
２３１  透明部
２４  吸気口
２５  排気口
２６  スクリーン
２７  投影部
２８  第１のミラー
３０  第２のミラー
３１  排気ファン（ファン）
３２  第１の風向板
３２３，３３３  突起部
３２４，３３４  延長板
３３  第２の風向板
【図１】
2015118289.tif 000003
【図２】
2015118289.tif 000004
【図３】
2015118289.tif 000005
【図４】
2015118289.tif 000006
【図５】
2015118289.tif 000007
【図６】
2015118289.tif 000008
【図７】
2015118289.tif 000009